(57)【要約】【課題】  所定のアオリ量で確実な固定が可能なアオリ機構を持つレンズ鏡筒を提供する。【解決手段】  撮影光学系と、固定鏡筒部１０２と、固定鏡筒部１０２に対して撮影光学系を移動させるアオリ機構とを備えるアオリ鏡筒部１０１とを有するレンズ鏡筒において、アオリ機構は、所定のアオリ量でクリック感を発生するクリック機構と、アオリ機構の固定と非固定とを所定のアオリ量でのみ切り替え可能な固定機構とを有している。【選択図】  図１
2010186042.tif 000002
【特許請求の範囲】
【請求項１】
撮影光学系と、固定鏡筒部と、該固定鏡筒部に対して前記撮影光学系を移動させるアオリ機構とを備えるアオリ鏡筒部とを有するレンズ鏡筒において、
前記アオリ機構は、所定のアオリ量でクリック感を発生するクリック機構と、前記アオリ機構の固定と非固定とを前記所定のアオリ量でのみ切り替え可能な固定機構とを有することを特徴とするレンズ鏡筒。
【請求項２】
前記アオリ機構は、第１の部材と第２の部材とを有し、前記第１の部材と前記第２の部材とが相対変位する機構であり、
前記固定機構は、前記第２の部材に設けられ、前記第１の部材に設けられた孔に嵌入可能な固定ピンを有し、前記第１の部材に設けられた孔は、前記所定のアオリ量でのみ前記固定ピンが嵌入可能な位置に設けられていることを特徴とする請求項１のレンズ鏡筒。
【請求項３】
前記アオリ機構は、前記第１の部材と前記第２の部材とが、円筒形状の摺動面に沿って相対回転するティルト機構であると共に、
任意のティルト量で前記ティルト機構を摩擦力によって固定する摩擦ロック機構と、該摩擦ロック機構の摩擦力を調整する回転操作部材とを有し、該回転操作部材は、前記第１の部材と前記第２の部材のうち、前記摺動面の曲率中心の存在する側の部材に設けられていることを特徴とする請求項１のレンズ鏡筒。
【請求項４】
前記アオリ機構は、任意のアオリ量で前記アオリ機構を摩擦力によって固定する摩擦ロック機構と、該摩擦ロック機構の摩擦力を調整する回転操作部材と、前記固定ピンを操作する操作部材とを有し、前記回転操作部材と前記操作部材とを隣接して配置すると共に、前記摩擦ロック機構の摩擦力を増大させる方向に前記回転操作部材を操作する際の回転方向を、前記操作部材に隣接する位置での円周上で、前記固定ピンを前記第１の部材に設けられた孔に嵌入させる際の前記操作部材の操作方向と一致させることを特徴とする請求項２のレンズ鏡筒。
【発明の詳細な説明】
【技術分野】
【０００１】
本発明は、３５ｍｍフィルムカメラやデジタル一眼レフカメラに好適なレンズ鏡筒に関し、例えば、アオリ機構を備えたレンズ鏡筒に好適である。
【背景技術】
【０００２】
従来、種々のアオリ機構（ティルト機構、スウィング機構、シフト機構、ライズアンドフォール機構、レボルビング機構等）を持つ撮影レンズを利用した撮影が知られている。
【０００３】
アオリ機構によるアオリ調整は、各々対応する調整用の操作つまみをアオリ鏡筒またはカメラ本体に対して固定の固定鏡筒に設けて、各操作つまみを操作することにより行う。
【０００４】
従来のティルト機構やシフト機構を備えた撮影レンズでは、撮影レンズを回動させるための「操作つまみ」と、所定の位置や角度に撮影レンズを固定させるための「固定つまみ」の双方を備えている。（例えば、特許文献１）
特許文献１では、ティルトやシフトの調整後に、ティルトロックつまみやシフトロックつまみを回転させて、相対的に移動する部品間に摩擦力を発生させることで、固定する機構を開示している。
【先行技術文献】
【特許文献】
【０００５】
【特許文献１】特開平４−１９１７１４号公報
【発明の概要】
【発明が解決しようとする課題】
【０００６】
このようなアオリ機構を備えた撮影レンズであっても、撮影状況によってはアオリ量がゼロの位置で撮影したい場合が生じ得る。例えば、遠くの建造物を撮影するような、被写体がレンズ鏡筒の光軸に対して垂直とみなせるような場合には、ティルト量を正確にゼロにする方が、画面全体に精度良くピントが合い画質も良くなるからである。
【０００７】
この点に関し、既に発売されているアオリ機構を持つレンズ鏡筒では、アオリ量がゼロの位置でクリック感を発生させ、使用者にアオリ量がゼロの位置を認知させる構成になっているものがある。使用者は認知したゼロ位置で特許文献１に開示されたような機構により固定を行うことにより、アオリ量がゼロの位置での固定が行える。
【０００８】
しかしながら、特許文献１に開示されたような摩擦力のみによってアオリ機構を固定する方法では、固定している摩擦力以上の力が加わった場合にアオリ量がゼロ位置からずれてしまうことがある。例えば、使用者が誤って操作つまみを大きな力で回転させたり、誤ってレンズ鏡筒先端に大きな衝撃力を与えられたりする場合である。
【０００９】
本発明は、上記課題を解決するためになされたもので、誤った操作を行ったり、外力が加わったりしても、ゼロ位置のような所定のアオリ量からアオリ機構がずれることのないレンズ鏡筒を提供することを目的とする。
【課題を解決するための手段】
【００１０】
本発明は、撮影光学系と、固定鏡筒部と、固定鏡筒部に対して撮影光学系を移動させるアオリ機構とを備えるアオリ鏡筒部とを有するレンズ鏡筒において、
アオリ機構は、所定のアオリ量でクリック感を発生するクリック機構と、アオリ機構の固定と非固定とを所定のアオリ量でのみ切り替え可能な固定機構とを有することを特徴としている。
【発明の効果】
【００１１】
本発明によれば、所定のアオリ量で確実な固定が可能なアオリ機構を持つレンズ鏡筒を提供することができる。
【図面の簡単な説明】
【００１２】
【図１】本実施例のレンズ鏡筒の５面図である。
【図２】本実施例のレンズ鏡筒の下面斜視図である。
【図３】Ｂ−Ｂ断面図である。
【図４】Ｃ−Ｃ断面図である。
【図５】本実施例のレンズ鏡筒の上面斜視図である。
【図６】回転操作部材が非固定位置でのＤ−Ｄ断面図、Ｅ−Ｅ断面図、そして外観図である。
【図７】回転操作部材が非固定位置でのＦ−Ｆ断面図である。
【図８】回転操作部材が固定位置でのＤ−Ｄ断面図とＥ−Ｅ断面図である。
【図９】Ｊ−Ｊ断面図である。
【図１０】Ｊ−Ｊ断面の部分拡大図である。
【発明を実施するための形態】
【００１３】
以下、図面を用いて本発明の実施例を説明する。本実施例のレンズ鏡筒は、アオリ機構として、ティルト機構、シフト機構を備えたレンズ鏡筒である。
【００１４】
図１（ａ）〜（ｅ）は本実施例のレンズ鏡筒の５面図である。  図１（ａ）は上面図、図１（ｂ）は側面図、図１（ｃ）は裏面図、正面図、図１（ｅ）は下面図である。図２は、本実施例のレンズ鏡筒の下面斜視図である。図３は、図１（ｂ）のＢ−Ｂ断面図、図４は図１（ｂ）のＣ−Ｃ断面図、図５は上面斜視図である。
【００１５】
１はシフトつまみであり、シフトロックつまみ２と対向してアオリ鏡筒部１０１に設けられている。３はティルトつまみであり、シフトつまみ１と光軸回りに略９０度の間隔を隔ててアオリ鏡筒部１０１に配置されている。３はティルトつまみであり、ティルトロックつまみ４と対向して設けられている。５はシフト目盛板であり、アオリ鏡筒部１０１に設けられており、アオリ量の１つであるシフト量を確認するために用いられる。
【００１６】
６は距離環、７は回転座である。本実施例のレンズ鏡筒は、固定鏡筒部１０２に設けられたバヨネット方式のマウント部１０２ａを介して、カメラ本体（不図示）に装着される。８はシフト座であり、撮影光学系を保持するアオリ鏡筒部１０１と共に、光軸と直交方向に移動可能となっている。１０はレボルビングロックつまみである。
【００１７】
本実施例のレンズ鏡筒は、回転座７とシフト座８とが相対変位し、これらの間でシフト調整が行える構成である。回転座７とシフト座８は、アリ溝９ａと突起９ｂとの関係により光軸と直交方向（図３の方向Ｇ）にのみ移動可能に構成されている。
【００１８】
ここで、シフトつまみの動作について説明する。シフトつまみ１を回転させると、内部のシフトギア（非表示）が回転し、シフトラック（非表示）に対し、アオリ鏡筒部１０１は光軸と直交方向であって、かつアリ溝９ａに沿って移動する。これによってシフト調整を行っている。
【００１９】
一方、シフト調整を停止させるにはシフトロックつまみ２を回転させる。この回転によって、内部の相対的に移動する部材を摩擦力によって固定（摩擦ロック機構）し、シフト座８の移動を制限している。
【００２０】
次に本実施例のティルト調整について説明する。
【００２１】
図５に示すように、ティルト機構は、第１の部材としてのティルト座３１と、第２の部材としてのＲ座３２とを有し、ティルト座３１とＲ座３２とが相対回転（相対変位）する機構である。ティルト座３１とＲ座３２の互いに向かい合う面は同一点に中心を有する略等しい曲率半径Ｒの円筒形状の面より成っている。そして、ティルトつまみ３を回転させることにより、Ｒ座３２に対し、ティルト座３１が光軸上の予め設定した一点を中心に回動するように構成されている。
【００２２】
そのティルトつまみ３は、曲率半径Ｒの円筒形状の面の曲率中心の存在する側であるＲ座３２上に配置されている。この理由は、回転操作部材であるティルトつまみ３を配置するためには、配置される部品上に面積が必要であるからである。曲率半径Ｒの円筒形状の面の中心軸側の部品（第２の部材）の方が、半径の外側の部品より面積が広いため、設置が容易であり、強度を保つこともできる。
【００２３】
ティルト座３１の内側には、図４に示すティルトラック３５がティルトギア３６に圧接される方向に、バネ（不図示）により支持されており、ティルトギア３６のガタを取り除いている。なお、ティルトラック３５は、ラック取付けビス３１４によりティルト座３１に取り付けられている。
【００２４】
図４の上側において、Ｒ座３２上に、ティルト軸受３７が固定されており、そのティルト軸受３７にティルト軸３９が回転可能に嵌合している。ティルト軸３９の先端にはティルトギア３６があり、ティルト座３１に取り付けられたティルトラック３５と嵌合している。ティルト軸３９の他端は、アオリ鏡筒部１０１の外径に突出しており、その部分にティルトつまみ３が設けられている。
【００２５】
図４の下側において、Ｒ座３２上に、ティルトロック軸受５１が固定されており、そのティルトロック軸受５１にティルトロック軸３１１が嵌合している。押え金具３４は、ビス３１５によってティルト座３１に取り付けられている。ティルトロック軸３１１のうちＲ座３２の内径側に延びた一端は、途中、ナット３１２の雌ねじ部とねじ係合し、押え金具３４の長穴を通過して、そのロック軸の先端はフランジ形状３１１ａを成している。
【００２６】
ティルトロック軸３１１をティルトロックつまみ４により回転させることにより、ティルトロック軸３１１は、アオリ鏡筒部１０１の外径側へと移動する。この結果、ネジ係合しているナット３１２とフランジ形状３１１ａの隙間が少なくなり、その間にある押え金具３４を両側から強く当接することになる。このときの摩擦力によって、Ｒ座３２に対する押え金具３４及びティルト座３１の動きを制限している。つまり、上述したような各要素で構成され、ティルトロックつまみ４の操作によりティルト座３１を固定する機構も摩擦ロック機構である。
【００２７】
次に本実施例のクリック機構について説明する。本実施例のレンズ鏡筒は、所定のアオリ量、具体的にはティルト量ゼロの位置でクリック感を発生させ、使用者にティルトゼロ位置を知らしめる構成となっている。
【００２８】
図９は、図１（ａ）におけるＪ−Ｊ断面図である。図１０は、図９におけるＨ部分の拡大図である。図１０は、ティルト量がゼロの状態であり、Ｒ座３２の摺動面３２ｆが、ティルト座の摺動面３１ｂと接触している。
【００２９】
ティルトつまみ３の回転操作によって、Ｒ座３２の摺動面３２ｆに対して、ティルト座の摺動面３１ｂが、相対的に摺動する。そのティルト座の摺動面３１ｂ上に、光軸と平行な円筒型穴３１ｃが一つ配置され、その穴奥部には、圧縮コイルバネ１０３がはめ込まれている。その圧縮コイルバネ１０３のＲ座３２に面する側には、金属製ボール１０４が配置されている。一方、Ｒ座３２の摺動面３２ｆの表面には、円筒型穴３１ｃに対向する位置に、浅い凹部３２ｅが配置されている。
【００３０】
図１０のようにティルト量がゼロの状態では、Ｒ座側の浅い凹部３２ｅに、圧縮コイルバネ１０３の押圧力で金属製ボール１０４の一部が嵌り込んでいる。ティルト量がゼロの状態から使用者がティルトつまみ３を回転させると、金属製ボール１０４と接触しているＲ座側は、浅い凹部３２ｅからＲ座３２の摺動面３２ｆに変化する。その結果、金属製ボール１０４は圧縮コイルバネ１０３の押圧力に逆らって、円筒型穴３１ｃに押し込まれる。このバネ力の増加は、ティルトつまみに伝わり、撮影者は、ティルトゼロ位置から移動を開始したことを確認できる。
【００３１】
また逆に、ティルトがある量の状態からティルト量ゼロの状態に移動した際には、金属製ボール１０４はＲ座３２の摺動面３２ｆで押圧された状態から、浅い凹部３２ｅに嵌り込む変化をする。この結果、移動の際の金属音と共に、圧縮コイルバネ１０３の押圧力の低下がティルトつまみに伝わり、撮影者は、ティルトゼロ位置になったことを確認できる。
【００３２】
次に本実施例のティルト固定機構について説明する。図６〜８はティルト固定機構を説明するための図であり、図６（ａ）は図１（ｅ）におけるＥ−Ｅ断面図（非固定状態）、図６（ｂ）は図１（ｅ）におけるＤ−Ｄ断面図（非固定状態）である。図６（ｃ）は操作部材２０１の部分の外観図である。図７は図１（ｅ）におけるＦ−Ｆ断面図である。図８（ａ）は図１（ｅ）におけるＥ−Ｅ断面図（固定状態）、図８（ｂ）は図１（ｅ）におけるＤ−Ｄ断面図（固定状態）である。
【００３３】
図６（ａ）は、ティルト機構が非固定状態の断面であり、操作部材２０１の構造を説明する図である。図６（ａ）において、Ｒ座３２の下側外部に、凹形状の空間３２ｂがあり、その空間３２ｂの奥部に保持部材である板バネ２０３が配置されている。凹形状の空間３２ｂと撮影に使用する光路とは、光路隔絶部３２ｇによって隔てられ、レンズ鏡筒外部からティルト固定機構を通って光路へ、不要な光が漏れ入らない構造となっている。
【００３４】
操作部材２０１のフランジ部２０１ｄは、Ｒ座３２とカバー板２０２によって、ある隙間を保って挟まれ、操作部材２０１は光軸方向にスライド可能となっている。板バネ２０３の根元２０３ｃはＲ座３２の空間３２ｂの奥部に接触し、板バネの途中２０３ｂは約３００度折り曲げられ、その先端２０３ａは、操作部材２０１のＷ型の斜面の一方２０１ｂを押圧している。操作部材の突起２０１ａを、図中左方向にスライドする際には、この板バネの先端２０３ａが斜面によって押し縮められるため、ある大きさ以上のスライド力がなければ、現状の位置に、操作部材２０１は留まる。
【００３５】
図６（ｂ）は、ティルト機構が非固定状態の断面であり、固定ピンの状態を説明する図である。固定ピン２０４は、Ｒ座３２に設けられた孔３２ｃと孔３２ｄに嵌合し、その先端２０４ａは円筒形で、孔３２ｃ内に留まっている。固定ピンのくびれ２０４ｂは、操作部材のＵ型の腕部２０１ｄ（図７参照）に係合している。ティルト量がゼロの状態では、Ｒ座３２の孔３２ｃに対向したティルト座３１側には、固定孔３１ａが配置されている。使用者がティルト機構を操作し、ティルト量をゼロ位置に移動させた後、ティルトの操作を停止すれば、図６（ｂ）図の状態となる。この状態では、Ｒ座３２の孔３２ｃに対向した位置に、ティルト座３１の固定孔３１ａが存在する。つまり、ティルト座３１の固定孔３１ａに、固定ピン２０４が嵌入可能な状態となっている。
【００３６】
使用者が操作部材の突起２０１ａを図６中の左方向にスライドすると、板バネの先端２０３ａが斜面の頂点２０１ｅを乗り越え、図８（ａ）の状態となる。図８（ａ）では、操作部材２０１のＷ型の斜面のもう一方２０１ｃによって、板バネの先端２０３ａが押圧され、操作部材２０１がこの位置からずれない状態になっている。  また固定ピン２０４は、図８（ｂ）の状態になり、固定ピン２０４の先端２０４ａは、ティルト座３１の固定孔３１ａに嵌入している。この状態で、ティルトつまみ３を使用者が回転させようとしても、円筒形の固定ピン２０４が、固定孔３１ａに嵌入しているため、ティルトさせることが不可能である。
【００３７】
再び、使用者が操作部材２０１をティルト固定状態からスライドして非固定状態にすれば、ティルトつまみ３及びティルトロックつまみ４の操作でティルト調整が可能となる。この際、ティルトロックつまみ４で摩擦力による固定を行っている場合は、ティルトロックつまみ４を回転させ摩擦力を小さくする必要がある。
【００３８】
以上のように、本実施例では、ティルト量ゼロの位置に、ティルト固定機構を設けることにより、ティルト調整が不要の際には、確実にティルト量をゼロに固定することが可能となり、不用意なアオリ鏡筒部１０１のずれが防止できる。
【００３９】
次に本実施例の操作部材２０１で固定状態にする際の操作方向と、回転操作部材であるティルトロックつまみ４の回転方向との関係について、図１（ｅ）を用いて説明する。
【００４０】
操作部材２０１は、図面左右方向にスライド可能で、図１（ｅ）の状態ではマウント部１０２ａ側に位置している。この位置は、固定ピン２０４が固定孔３１ａから外れた状態の非固定状態である。この非固定状態から固定状態にするには、スライド方向Ｋに操作部材２０１を平行移動させることになる。一方、摩擦力で任意のティルト位置にロックするティルトロックつまみ４の回転方向は、摩擦力が増大させる回転方向が、図示した回転方向Ｌである。
【００４１】
つまり、ティルトロックつまみ４でロックする場合の回転方向は、操作部材２０１に隣接する円周上で、固定状態にするための操作部材２０１の操作方向と一致している。このように操作部材２０１の操作方向と、ティルトロックつまみ４の回転方向とを定めることにより、操作部材２０１、ティルトロックつまみ４のいずれで固定を行う場合であっても、使用者は違和感なく操作を行うことができる。
【００４２】
以上、本実施例では、ティルト機構と、そのティルト量ゼロの位置での固定機構について説明したが、固定機構によって固定可能な所定のティルト量はゼロ位置に限るものではない。また、所定のシフト量における固定機構についての説明も省略したが、本実施例で開示したティルト機構を固定するための固定機構を応用すれば、シフト機構やその他のアオリ機構においても本発明は適宜応用可能である。
【符号の説明】
【００４３】
１  シフトつまみ
２  シフトロックつまみ
３  ティルトつまみ
４  ティルトロックつまみ
７  回転座
８  シフト座
３１  ティルト座
３２  Ｒ座
１０１  アオリ鏡筒部
１０２  固定鏡筒部
【図１】
2010186042.tif 000003
【図２】
2010186042.tif 000004
【図３】
2010186042.tif 000005
【図４】
2010186042.tif 000006
【図５】
2010186042.tif 000007
【図６】
2010186042.tif 000008
【図７】
2010186042.tif 000009
【図８】
2010186042.tif 000010
【図９】
2010186042.tif 000011
【図１０】
2010186042.tif 000012